(57)【要約】      （修正有）【課題】美観・清潔感に優れ、省スペースを実現することができるとともに、持ち運びも容易なゴミ箱付きティッシュペーパーケースを提供する。【解決手段】本体（１０）の上部において前後にスライド可能に設置されるとともに、左右側面に係合部が設けられたティッシュケース（２０）と、本体の左右側面において前後に回動自在に軸着され、係合部と係合するスライド部（３５）が設けられた左右一対の回動片と、回動片の上端同士を連結する取手と、を有する取手部（３０）と、を備えて構成し、取手部の回動片を、前又は後方向に回動させることで、ティッシュケースの係合部が、取手部のスライド部と係合しながら移動するとともに、ティッシュケースが本体の上部において前又は後方向に摺動して、ティッシュケースと本体との間に、ゴミを投入可能なスペースが形成されるようにした。【選択図】図１
0003124880.tif 000002
【実用新案登録請求の範囲】
【請求項１】
上部が開放された箱状で、内部にゴミを収容することができる本体と、
ティッシュペーパーを収納したティッシュボックスを載置可能で、且つ該本体と略等しい平面積を有し、該本体の上部において前後にスライド可能に設置されるとともに、左右側面に係合部が設けられたティッシュケースと、
該本体の左右側面において前後に回動自在に軸着され、該係合部と係合するスライド部が設けられた左右一対の回動片と、該回動片の上端同士を連結し、且つ該ティッシュボックスの上方において横架される取手と、を有する取手部と、を備え、
該取手部の該回動片を、前又は後方向に回動させることで、
該ティッシュケースの該係合部が、該取手部の該スライド部と係合しながら移動するとともに、該ティッシュケースが該本体の上部において前又は後方向に摺動して、該ティッシュケースと該本体との間に、ゴミを投入可能なスペースが形成されるようにしたゴミ箱付きティッシュペーパーケース。
【請求項２】
該本体に収容されるゴミ箱をさらに備え、
該本体の正面及び／又は背面にゴミ箱用開口を設けて、該ゴミ箱用開口から該ゴミ箱を引き出し可能とした請求項１に記載のゴミ箱付きティッシュペーパーケース。
【考案の詳細な説明】
【技術分野】
【０００１】
本考案は、ゴミ箱付きのティッシュペーパーケースに関する。
【背景技術】
【０００２】
一般家庭の食卓等においてティッシュペーパーは不可欠である。従来は、ティッシュペーパーを収納したティッシュボックスは食卓や居間のテーブル上に置いておき、使用済みのティッシュペーパーは、足元等の床上に別途置いたゴミ箱に捨てる、というのが一般的であった。
しかしながら、ティッシュペーパーとゴミ箱とは、本来は対となって使用されるものであり、使用済みのティッシュペーパーをわざわざ別の場所に捨てるのは面倒であった。
【０００３】
これに対して、ティッシュボックスを収納するケースとゴミ箱とを一体に形成した、ティッシュペーパー箱収納部付きゴミ箱を提供するものとして、例えば特許文献１がある。
【０００４】
【特許文献１】実開平６−４９４０５
【考案の開示】
【考案が解決しようとする課題】
【０００５】
しかしながら、上記特許文献１に記載されたものは、ティッシュペーパー箱収納部とゴミ箱とを単に横並びに設けたものであるため、ゴミ箱に捨てられたゴミが露呈して美観・清潔感に劣り、食卓や居間のテーブルに置いたときに不自然であり、また、一般家庭のテーブル等の限られたスペースに置くには、設置面積をとり過ぎていた。さらに、他の場所で急にティッシュペーパーとゴミ箱が必要になった場合に、速やかに持ち運びができないものであった。
【０００６】
そこで、本考案は上記問題に鑑みてなされたものであり、美観・清潔感に優れ、省スペースを実現することができるとともに、持ち運びも容易なゴミ箱付きティッシュペーパーケースを提供することを目的とするものである。
【課題を解決するための手段】
【０００７】
上記の課題を解決するために、請求項１に記載のゴミ箱付きティッシュペーパーケースは、上部が開放された箱状で、内部にゴミを収容することができる本体と、
ティッシュペーパーを収納したティッシュボックスを載置可能で、且つ該本体と略等しい平面積を有し、該本体の上部において前後にスライド可能に設置されるとともに、左右側面に係合部が設けられたティッシュケースと、
該本体の左右側面において前後に回動自在に軸着され、該係合部と係合するスライド部が設けられた左右一対の回動片と、該回動片の上端同士を連結し、且つ該ティッシュボックスの上方において横架される取手と、を有する取手部と、を備え、
該取手部の該回動片を、前又は後方向に回動させることで、
該ティッシュケースの該係合部が、該取手部の該スライド部と係合しながら移動するとともに、該ティッシュケースが該本体の上部において前又は後方向に摺動して、該ティッシュケースと該本体との間に、ゴミを投入可能なスペースが形成されるようにしたことを要旨とする。
【０００８】
また、請求項２に記載のゴミ箱付きティッシュペーパーケースは、請求項１に記載の構成において、該本体に収容されるゴミ箱をさらに備え、
該本体の正面及び／又は背面にゴミ箱用開口を設けて、該ゴミ箱用開口から該ゴミ箱を引き出し可能としたことを要旨とする。
【考案の効果】
【０００９】
本考案によれば、上部が開放された箱状で、内部にゴミを収容することができる本体と、
ティッシュペーパーを収納したティッシュボックスを載置可能で、且つ該本体と略等しい平面積を有し、該本体の上部において前後にスライド可能に設置されるとともに、左右側面にスライド用突起が設けられたティッシュケースと、該本体の左右側面において前後に回動自在に軸着され、該スライド用突起と係合するスライド用溝が設けられた左右一対の回動片と、該回動片の上端同士を連結し、且つ該ティッシュボックスの上方において横架される取手と、を有する取手部と、を備え、該取手部の該回動片を、前又は後方向に回動させることで、該ティッシュケースの該スライド用突起が、該取手部の該スライド用溝内を移動するとともに、該ティッシュケースが該本体の上部において前又は後方向に摺動して、該ティッシュケースと該本体との間に、ゴミを投入可能なスペースが形成されるようにしたゴミ箱付きティッシュペーパーケースであるため、美観・清潔感に優れ、省スペースを実現することができるとともに、持ち運びも容易なゴミ箱付きティッシュペーパーケースを提供することが可能である。
【考案を実施するための最良の形態】
【００１０】
本考案に係るゴミ箱付きティッシュペーパーケースは、本体と、ティッシュケースと、取手部とを備えて構成されるものである。
ティッシュケースは、ティッシュペーパーを収納したティッシュボックスを、ティッシュペーパーを取出自在の状態で載置するものである。現在市販されているティッシュボックスは、幅１２０ｍｍ、奥行き２４０ｍｍ、高さ５０ｍｍ程度の横長直方体形状をなすものが多く、３００〜４００枚（１５０〜２００組）のティッシュペーパーを収納しているものが標準である。ティッシュペーパーの１枚の大きさは概ね縦２００ｍｍ×横２３０ｍｍであるが、これを二つ折りしたもの７５〜１００組を、上記市販のものの様に組み合わせ折り畳めば、ティッシュボックスの幅、奥行き共１２０ｍｍ、高さ５０ｍｍとでき、本発明のティッシュケースも更に小さく構成することができる。何れにしても、ティッシュケースの大きさ・形状等は、載置を許容するティッシュボックスの大きさに応じて適宜設定することができる。
【００１１】
本体は、上部が開放された箱状に形成し、内部にゴミを収容できるようにする。本体に、正面及び／又は背面から引き出し可能なゴミ箱を収容しておいてもよい。美観・清潔感の向上、及び省スペースの実現に配慮して、本体とティッシュケースとは、略等しい平面積を有するようにし、ティッシュケースが本体上部を丁度覆うように両者を積層構成する。
【００１２】
また、本体上部において、ティッシュケースが前後水平方向にスライドし、それによって、ティッシュケースと本体との間に、ゴミを投入可能なスペースが形成されるように構成する。ティッシュケースは前又は後の一方向にのみスライドすることとしてもよい。
【００１３】
取手部は、左右一対の回動片と、回動片同士を連結する取手とを備える。取手は、本発明に係るゴミ箱付きティッシュペーパーケースの持ち運びを容易にするとともに、押し引きされることにより、連動して回動片の回動を促すものである。
本体と取手部との連結は、回動片が、本体の左右側面において、連結部を支点として前後に回動自在に軸着される構成となっていれば、如何なる方法によってもよい。
また、ティッシュケースと取手部とは、ティッシュケースの左右側面に例えばスライド用突起等の係合部、取手部回動片の内側面に例えばスライド用溝等のスライド部、をそれぞれ設け、係合部をスライド部に移動自在に係合させることによって、相互に連結する。
【実施例】
【００１４】
本考案の一実施形態を、図１〜図８Ｃを参照しながら説明する。図１はゴミ箱付きティッシュペーパーケースの正面図、図２はゴミ箱付きティッシュペーパーケースの右側面図、図３はゴミ箱付きティッシュペーパーケースの上面図、図４Ａは本体の正面図(半面図)、図４Ｂは本体の右側面図、図５Ａはティッシュケースの正面図(半面図)、図５Ｂはティッシュケースの右側面図、図６Ａは取手部の正面図（半面図）、図６Ｂは取手部の内側面図、図７Ａはゴミ箱部の正面図(半面図)、図７Ｂはゴミ箱部の右側面図、図７Ｃはゴミ箱部の底面図(半面図)、図８Ａはゴミ箱蓋の上面図(半面図)、図８Ｂはゴミ箱蓋の正面図(半面図)、図８Ｃはゴミ箱蓋の側面図である。
【００１５】
本実施例に係るゴミ箱付きティッシュペーパーケースは、図１に示すように、本体（１０）と、ティッシュケース（２０）と、取手部（３０）とを備えて構成されるものである。
本体（１０）は、図１〜図３、図４Ａ〜図４Ｂに示すように、略直方体形の箱状をなし、上部が開放されるとともに、正面及び背面にはゴミ箱用開口（１５）が連通して形成されており、ゴミ箱（４０）が前後に出没可能に収容されている。
【００１６】
ゴミ箱（４０）は、図１〜図２に示すように、本体（１０）と等しい奥行きと、本体（１０）よりもわずかに小さい幅、高さを有し、上部が開放された略直方体形状で、ゴミ箱用開口（１５）を介して本体（１０）に挿入した状態で、ゴミ箱（４０）の正面及び背面と、本体（１０）の正面及び背面とがそれぞれ面一となるように構成されている。図７Ａ〜図７Ｃに示すように、ゴミ箱（４０）の内側面入隅には、蓋支持片（４２）が適宜の高さに設けられ、図８Ａ〜図８Ｃに示すゴミ箱蓋（４１）をゴミ箱（４０）側面より上方に突出することなく設置できるようになっている。ゴミ箱蓋（４１）には、図８Ａに示す形状のゴミ投入口（４３）が形成されている。
【００１７】
また、図７Ａ〜図７Ｃに示すように、ゴミ箱（４０）の底面の一部は凹んで形成され、本体（１０）から取り出したゴミ箱（４０）を容易に把持してゴミ捨てが行えるようにゴミ箱取手（４４）が設けられている。ゴミ箱取手（４４）には、図４Ａ〜図４Ｂに示す如く本体（１０）底面に突設されたゴミ箱係止突起（１７）と係合する取手凹部（４５）が形成されている。
【００１８】
図４Ａ〜図４Ｂに示すように、本体（１０）の左右側面は、他の側面（正面及び背面）よりも所定の長さだけ上方に延設され、中心線上には軸溝（１６）が切欠されている。本体（１０）の左右側面の内面には、図４Ａ〜図４Ｂに示すように、後述するティッシュケース（２０）を上部に載置して前後にスライドさせるためのスライド台（１４）が突設されており、その上面は、本体（１０）の正面及び背面の上端と等しい高さに位置するようになされている。本体（１０）の左右側面の上内端、且つ軸溝（１６）の両サイドには、図４Ａ〜図４Ｂに示すように、後述するティッシュケース（２０）の転倒を防止するための転倒防止爪（１３）が突設されている。
【００１９】
さらに、軸溝（１６）の下方においては、図４Ａ〜図４Ｂに示すように、後述する取手部（３０）の本体支持爪（３３）を外嵌し、その移動をガイドするための弧状溝（１１）が形成されるとともに、弧状溝（１１）に沿って、上方にテーパー状のリブ（１２）が突設されている。
【００２０】
ティッシュケース（２０）は、図５Ａ〜図５Ｂに示すように、上部が開放された容器状で、横幅が本体の幅よりも所定の長さだけ短く形成されるとともに、奥行きは本体の奥行きと等しく形成されている。ティッシュケース（２０）は、図１に示す如く横長直方体形状をなす一般的な大きさのティッシュボックス（５０）を丁度、収容載置できる大きさ・形状を有するものであり、ティッシュボックス（５０）はティッシュペーパー（５１）を内部に積層収納し、上面のティッシュ取出口（５２）（図３）から１枚ずつティッシュペーパー（５１）を取り出し可能な状態で収容されている。
【００２１】
ティッシュケース（２０）の左右側面の下端には、図５Ａ〜図５Ｂに示すように、外側に向かって、所定の厚みと突出長さを有する転倒防止バー（２１）が設けられており、本体（１０）に設けられるスライド台（１４）と転倒防止爪（１３）との間で、転倒防止バー（２１）が前後に水平移動可能に構成されるとともに、転倒防止バー（２１）が転倒防止爪（１３）に下方から当接することによって、ティッシュケース（２０）を前後にスライドさせた際のティッシュケース（２０）の外方への回転転倒が防止されている。
【００２２】
図５Ａ〜図５Ｂに示すように、ティッシュケース（２０）の底面裏側における、中心線上の適宜の位置には、スライド係止突起（２３）が突設され、ティッシュケース（２０）が前後に所定距離スライドした時点で、スライド係止突起（２３）が本体（１０）の正面又は背面の内面に当接して、ティッシュケース（２０）のそれ以上のスライドが阻止されるにようになっている。
【００２３】
ティッシュケース（２０）の左右側面は、図５Ａ〜図５Ｂに示すように、正面及び背面よりもさらに上方に延設され、その上半部は上にいくに従って窄まった等辺山形状をなしている。そして、図５Ａ〜図５Ｂに示すように、頂部からやや下がった中心線上には、外側に向かって、後述する取手部（３０）のスライド用溝（３５）と係合するスライド用突起（２２）が突設されている
【００２４】
取手部（３０）は、図１、図６Ａ〜図６Ｂに示すように、左右一対の回動片（３０ａ）と、それらを上下で連結する取手（３１）、及び回動軸（３２）とから成る。取手（３１）、及び回動軸（３２）は、ティッシュケース（２０）の上方、及び下方に、それぞれ横架して配置されるものである。
【００２５】
回動片（３０ａ）は、図６Ａ〜図６Ｂに示すように、細長平板状で、その下半部には拡幅された形状をなす脚部（３４）が形成されている。脚部（３４）の下端には、図６Ａ〜図６Ｂに示すように、内側に向かって、本体（１０）の弧状溝（１１）と係合する本体支持爪（３３）が突設され、その上方には、本体（１０）の軸溝（１６）に嵌合して軸着される回動軸（３２）が連結されている。
また、図６Ａ〜図６Ｂに示すように、回動片（３０ａ）の上内端には、取手（３１）が連結されており、その直下には、下方に向かって開放されたスライド用溝（３５）が中心線に沿って所定の長さ形成されている。
【００２６】
本実施例に係るゴミ箱付きティッシュペーパーケースの組み立てにあたっては、まず取手部（３０）の回動軸（３２）を本体（１０）の軸溝（１６）に上方から嵌め入れるとともに、取手部（３０）の本体支持爪（３３）を本体（１０）の弧状溝（１１）に外嵌して、取手部（３０）を本体（１０）に取り付ける。なお、嵌入された回動軸（３２）の上端は、本体（１０）のスライド台（１４）上面よりも低く位置するようになされている。
【００２７】
次いで、取手部（３０）のスライド用溝（３５）にティッシュケース（２０）のスライド用突起（２２）を下方から嵌め入れて、取手部（３０）とティッシュケース（２０）とを連結するとともに、スライド用突起（２２）をスライド用溝（３５）内の上部いっぱいまで移動させる。スライド用突起（２２）のスライド用溝（３５）への嵌め入れは、ティッシュケース（２０）を回動片（３０ａ）に対して約９０度回転させた状態で行うと、簡単に行える。
【００２８】
そして、取手部（３０）の回動片（３０ａ）を略垂直に、且つティッシュケース（２０）を略水平に保った状態で、ティッシュケース（２０）のスライド用突起（２２）を回動片（３０ａ）のスライド用溝（３５）に沿って下方に移動させることによって、ティッシュケース（２０）を下方に落とし込み、本体（１０）上部に水平に載置する。このとき、ティッシュケース（２０）の転倒防止バー（２１）が、図５Ｂに示す如く、中央部近辺を避けて形成されているため、転倒防止バー（２１）と本体（１０）の転倒防止爪（１３）とが干渉することなく、ティッシュケース（２０）の下方への落とし込みが容易に行えるようになっている。また、スライド用溝（３５）は、ティッシュケース（２０）を本体（１０）上に載置した際に、スライド用突起（２２）が溝内から抜け出ることのない長さで形成されている。
なお、分解は上記と逆の手順で行えばよい。
【００２９】
次に、上記の如く構成されるゴミ箱付きティッシュペーパーケースの使用態様の一例について説明する。
平常時においては、取手部（３０）の回動片（３０ａ）を垂直に保ち、ティッシュボックス（５０）が載置されたティッシュケース（２０）を、その正面及び背面が、本体（１０）の正面及び背面とそれぞれ面一となるようにして、本体（１０）上に位置させておく。
【００３０】
ティッシュボックス（５０）に収納されたティッシュペーパー（５１）を取り出して使用する際には、取手部（３０）の取手（３１）を把持し、図２に示すように、取手（３１）を前又は後方向に押して、回動片（３０ａ）を回動させる。すると、ティッシュケース（２０）に対しても前又は後方向への外力が働くこととなるが、取手部（３０）のスライド用溝（３５）内においてティッシュケース（２０）のスライド用突起（２２）が、下方から上方に向かって移動することによって、回動片（３０ａ）の回動に連動してティッシュケース（２０）が本体（１０）のスライド台（１４）上を摺動することとなる。そして、スライド停止突起（２３）が本体（１０）の正面又は背面の内側面に当接するところまで、ティッシュケース（２０）を前又は後方向に水平にスライドさせることができる。
さらに、平常時には、ティッシュボックス（５０）のティッシュ取出口（５２）の真上に位置していた取手（３１）が、図２〜図３に示すように、前又は後方向にずれて位置するようになるため、ティッシュ取出口（５２）からティッシュペーパー（５１）を容易に取り出して使用することが可能となる。
【００３１】
上記によってティッシュケース（２０）が本体（１０）奥行きの半分弱の距離をスライドして、ティッシュケース（２０）と本体（１０）との間に、図３に示す如く、本体（１０）内部に収容されたゴミ箱（４０）のゴミ投入口（４３）が現れるため、使用済みのティッシュペーパー（５１）等のゴミを捨てる際には、そこからゴミ箱（４０）内にゴミを投入することができる。
【００３２】
ゴミの投入が終了すれば、取手部（３０）の取手（３１）を引いて、回動片（３０ａ）を再び垂直に戻す。すると、今度は、取手部（３０）のスライド用溝（３５）内においてティッシュケース（２０）のスライド用突起（２２）が、上方から下方に向かって移動することによって、回動片（３０ａ）の回動に連動してティッシュケース（２０）が本体（１０）のスライド台（１４）上を摺動し、平常時の位置に再び位置することとなる。
【００３３】
ゴミ箱（４０）に捨てられたゴミは、いずれより大きいゴミ箱やゴミ袋に捨てなければならないが、そのためには、ゴミ箱用開口（１５）に挿入されたゴミ箱（４０）を、正面又は背面側から少し押し込むことで、本体（１０）のゴミ箱係止突起（１７）とゴミ箱（４０）の取手凹部（４５）との係合を解除して、本体（１０）から引き出す。そして、引き出したゴミ箱（４０）裏側のゴミ箱取手（４４）を一方の手で掴み、もう一方の手でゴミ箱蓋（４１）を取り外して、ゴミ箱（４０）を傾け又は逆さまにすることで、ゴミを容易に捨てることができる。
また、本体（１０）の左右側面の前後端中ほどを半円形状に切欠して形成しておけば、本体（１０）からのゴミ箱（４０）の引き出しをより容易に行うことができる。
ゴミ箱用開口（１５）を本体（１０）の正面又は背面の何れか一方にのみ設ける場合には、ゴミ箱（４０）の本体（１０）から露出する側面に、引き出し用の掴手を設けることとしてもよい。
【００３４】
なお、本実施例のゴミ箱付きティッシュペーパーケースは、取手（３１）を持って容易に持ち運びができるものであるが、図４Ｂに示すように、本体（１０）側面の弧状溝（１１）の中央部（中心線上）が上方に切欠され係止用溝が形成されているため、持ち運びの際に、取手部（３０）の本体支持爪（３３）が、係止用溝にしっかりと係止され、ぐらつきが防止されている。
また、弧状溝（１１）の中央部（中心線上）の下方にも係止用溝を切欠形成しておけば、取手部（３０）の回動片（３０ａ）を垂直状態にして設置する際に、安定してその垂直を保つことができる。
【００３５】
本実施例に係るゴミ箱付きティッシュペーパーケースによれば、ティッシュボックス（５０）を載置するティッシュケース（２０）と、ゴミを収容できる本体（１０）とが一体となっているため、たいへん便宜であるだけでなく、平常時において、ティッシュケース（２０）が本体（１０）の上部を覆っているため、美観・清潔感に優れており、食卓や居間のテーブルの上に置いても、何ら違和感無く用いることができる。また、取手（３１）の押し引き操作によって、本体（１０）上部にゴミ投入口（４３）を簡単に露出させることができるため、ゴミ捨てを容易に行うことが可能である。
【００３６】
さらに、本実施例に係るゴミ箱付きティッシュペーパーケースによれば、設置に必要となるテーブル上の面積は、ティッシュボックス（５０）の平面積と略等しいもので足りるため、省スペース化が図れる。また、本体（１０）の高さ以下であれば、本体（１０）の前後に近接して他の物が置いてあっても、図２に示すように、ティッシュケース（２０）は自由にスライドさせることができる。
本実施例に係るゴミ箱付きティッシュペーパーケースは、上方に取手（３１）を備え、全体の形状も非常にコンパクトであるため、どこにでも簡単に持ち運ぶことができる。
【００３７】
以上の実施例の記述は、本発明をこれに限定するものではなく、本発明の要旨を逸脱しない範囲で種々の設計変更が可能である。例えば
軸溝（１６）と回動軸（３２）に替えて、本体（１０）及び回動片（３０ａ）にそれぞれ軸孔を設け、ボルトやリベット等で回動片（３０ａ）を本体（１０）の左右側面に回動自在に係止してもよい。この場合、何れか一方の軸孔は長孔とすることが好ましい。
また、ティッシュケース（２０）と取手部（３０）との係合は、スライド用突起（２２）とスライド用溝（３５）に替えて、取手部（３０）に縦長のスライド用孔を設け、ボルト等を介して、ティッシュケース（２０）の左右側面を取手部（３０）にスライド自在に係合してもよい。
【産業上の利用可能性】
【００３８】
本考案は、美観・清潔感に優れ、省スペースを実現することができるとともに、持ち運びも容易なゴミ箱付きティッシュペーパーケースを提供するものであり、産業上の利用可能性を有する。
【図面の簡単な説明】
【００３９】
【図１】ゴミ箱付きティッシュペーパーケースの正面図である。
【図２】ゴミ箱付きティッシュペーパーケースの右側面図である。
【図３】ゴミ箱付きティッシュペーパーケースの上面図である。
【図４Ａ】本体の正面図(半面図)である。
【図４Ｂ】本体の右側面図である。
【図５Ａ】ティッシュケースの正面図(半面図)である。
【図５Ｂ】ティッシュケースの右側面図である。
【図６Ａ】取手部の正面図（半面図）である。
【図６Ｂ】取手部の内側面図である。
【図７Ａ】ゴミ箱部の正面図(半面図)である。
【図７Ｂ】ゴミ箱部の右側面図である。
【図７Ｃ】ゴミ箱部の底面図(半面図)である。
【図８Ａ】ゴミ箱蓋の上面図(半面図)である。
【図８Ｂ】ゴミ箱蓋の正面図(半面図)である。
【図８Ｃ】ゴミ箱蓋の側面図である。
【符合の説明】
【００４０】
１０  本体
１１  弧状溝
１２  リブ
１３  転倒防止爪
１４  スライド台
１５  ゴミ箱用開口
１６  軸溝
１７  ゴミ箱係止突起
２０  ティッシュ ケース
２１  転倒防止バー
２２  スライド用突起
２３  スライド停止突起
３０  取手部
３０ａ  回動片
３１  取手
３２  回動軸
３３  本体支持爪
３４  脚部
３５  スライド用溝 
４０  ゴミ箱
４１  ゴミ箱蓋
４２  蓋支持片
４３  ゴミ投入口
４４  ゴミ箱取手
４５  取手凹部
５０  ティッシュボックス 
５１  ティッシュペーパー
５２  ティッシュ取出口 
【図３】
0003124880.tif 000003
【図４Ａ】
0003124880.tif 000004
【図４Ｂ】
0003124880.tif 000005
【図５Ａ】
0003124880.tif 000006
【図５Ｂ】
0003124880.tif 000007
【図６Ａ】
0003124880.tif 000008
【図６Ｂ】
0003124880.tif 000009
【図７Ａ】
0003124880.tif 000010
【図７Ｂ】
0003124880.tif 000011
【図７Ｃ】
0003124880.tif 000012
【図８Ａ】
0003124880.tif 000013
【図８Ｂ】
0003124880.tif 000014
【図８Ｃ】
0003124880.tif 000015
【図１】
0003124880.tif 000016
【図２】
0003124880.tif 000017